(57)【要約】【課題】  水中照明器具が点灯し、室内照明器具が減光しているときでも操作盤の表示を見易くし、かつ、水中照明器具による浴室空間の演出を壊さないようにする。  【解決手段】  操作盤にバックライトを備えた表示器を設け、水中照明器具が点灯し、連動して室内照明器具が減光した時には、バックライトの明るさを減光するようにする。操作盤の表示は浴室内が暗くなっても表示器のバックライトにより表示の背景が明るいため見辛くならない。また、水中照明装置の操作盤は入浴しながら操作するため、浴槽の背もたれ側で入浴者の目に届き易い場所に設置されるものであるが、室内照明器具が減光している時（水中照明器具が点灯している時）は、表示器のバックライトも減光するようにしたため、その光が目障りになることが無く、また、水中照明器具による浴室空間の演出を壊さない。【選択図】  図４
2007335153.tif 000002
【特許請求の範囲】
【請求項１】
浴槽に設けられた水中照明器具を、浴室内を照らす室内照明器具と連動させ、前記水中照明器具の点灯時には、前記室内照明器具の明るさを減光または消灯させるようにした水中照明装置において、前記水中照明器具を操作するための操作盤にはバックライトを備えた表示器を設け、前記水中照明器具の点灯時には、前記バックライトの明るさを減光するようにしたことを特徴とする水中照明装置。
【発明の詳細な説明】
【技術分野】
【０００１】
本発明は、浴槽の水中照明装置に関する発明である。
【背景技術】
【０００２】
浴槽に設けられた水中照明器具が点灯し、浴槽水の色を変化させ、波打つ水面から漏れた光が浴室内の壁や天井に映し出される浴室空間の演出を効果的に行うためには室内照明器具の明るさを減光する必要があり、水中照明器具が点灯した際には自動的に室内照明器具が減光する水中照明装置が一般的である。さらには、明るさの調節できない室内照明器具が浴室内に併設設置されている場合には、その室内照明器具を自動的に消灯するように構成された技術も知られている（例えば、特許文献１等）。
【０００３】
しかし、室内照明器具が減光すると操作盤の表示や操作ボタンが見辛くなるため、水中照明器具の点灯色を変更したい場合や水中照明器具による演出を終了したい場合に、操作盤の表示や操作ボタン、操作盤自体の位置が判りにくくなるという問題点があった。そこで、操作盤にＬＥＤと透光窓を設け、室内照明器具が減光している際には、操作盤内のＬＥＤを発光し、透光窓から漏れる光により容易に操作盤の位置が確認できるように構成された技術が知られている（例えば、特許文献２等）。
【０００４】
【特許文献１】特開２００２−２４５８４４号公報
【特許文献２】特開２００１−２９７８８７号公報
【発明の開示】
【発明が解決しようとする課題】
【０００５】
しかしながら、室内照明器具が減光しているとき、操作盤の位置は把握できたとしても操作盤の表示は見辛いものである。また、普段、眼鏡を掛けていても入浴の際は眼鏡を外す人もいるため、更なる操作盤の表示の視認性向上が求められている。本発明は、上記問題を解決するためになされたもので、本発明の目的は、室内照明器具が減光しているときでも操作盤の表示を見易くし、かつ、水中照明器具による浴室空間の演出を壊さない水中照明装置を提供することにある。
【課題を解決するための手段】
【０００６】
上記目的を達成するために成された本発明は、浴槽に設けられた水中照明器具を、浴室内を照らす室内照明器具と連動させ、前記水中照明器具の点灯時には、前記室内照明器具の明るさを減光または消灯させるようにした水中照明装置において、前記水中照明器具を操作するための操作盤にはバックライトを備えた表示器を設け、前記水中照明器具の点灯時には、前記バックライトの明るさを減光するようにした。
【発明の効果】
【０００７】
この発明によれば、室内照明器具が連動して浴室内が暗くなっても操作盤の表示は表示器のバックライトにより表示の背景が明るいため見辛くならない。また、水中照明装置の操作盤は入浴しながら操作するため、浴槽の背もたれ側で入浴者の目に届き易い場所に設置されるものであるが、室内照明器具が減光している時（水中照明器具が点灯している時）は、表示器のバックライトも減光するようにしたため、その光が目障りになることが無く、また、水中照明器具による浴室空間の演出を壊さない。
【実施例】
【０００８】
以下、本発明の水中照明装置の一実施例について図面を参照しつつ説明する。図１は本実施例の水中照明装置の概略構成図、図２は本実施例による制御ボックスの制御系のブロック構成図である。
【０００９】
図１に示すように、浴室１内に設置された浴槽２の側壁面には、水中照明器具３が設けられている。水中照明器具３内には赤、緑、青、白の単色を発光するＬＥＤがそれぞれ複数個設けられており（図示しない）、これらの発光色を組合わせることで複数色の点灯色を浴槽２内に照射できるように構成されている。水中照明器具３は制御ボックス４と２次電源ケーブル９で接続されており、点灯、点灯色変更、消灯などが制御ボックス４によって行われる。また、制御ボックス４は、浴室１内の側壁面に設置された明るさの調節が可能な室内照明器具６（例えば白熱灯）と、浴室１外の脱衣所などに設置され、室内照明器具６を点灯、消灯させるための電源スイッチ７と商用電源ケーブル１０で接続されている。電源スイッチ７をオンにすると、室内照明器具６が点灯し、制御ボックス４によってその明るさが調節される。また、浴室１内の側壁面で、入浴者が操作し易い場所に設置された操作盤５は、制御ボックス４と通信線８で接続されており、制御ボックス４の制御状態を表示したり、水中照明器具３や室内照明器具６を操作するために利用される。
【００１０】
図２に示すように、制御ボックス４の制御の中心にはマイクロコンピュータを含む中央制御部２１が据えられ、その中央制御部２１には、通信制御部２２、読取専用メモリ（ＲＯＭ）２３、室内照明制御部２４、水中照明制御部２５等が接続され、室内照明制御部２４には室内照明器具６が、水中照明制御部２５には水中照明器具３が接続されている。
【００１１】
通信制御部２２は中央制御部２１の指示に従って、通信線８を介して操作盤５へモニタ信号や故障検出信号等の信号を送ったり、逆に操作盤５から制御信号を受け取って中央制御部２１へ送る。
【００１２】
室内照明制御部２４は中央制御部２１の指示に従って、商用電源ケーブル１０を介して室内照明器具６の点灯／消灯や明るさを変更する。
【００１３】
水中照明制御部２５は中央制御部２１の指示に従って、２次電源ケーブル９を介して水中照明器具３の点灯／消灯や点灯色を変更する。
【００１４】
ＲＯＭ２３には、点灯／消灯制御を始めとする各種の運転を実行する際のプログラムが格納されている。
【００１５】
操作盤５からの制御信号には、水中照明単色点灯Ａ〜Ｊ（Ａ：薄青、Ｂ：青色、Ｃ：青緑、Ｄ：ススキ緑,Ｅ：緑色,Ｆ：橙色,Ｇ：赤色,Ｈ：桃色,Ｉ：紫色,Ｊ：白色）,水中照明全色点灯（Ａ〜Ｊを順次繰返し点灯）、水中照明冷色点灯（冷色系を順次繰返し点灯）、水中照明暖色点灯（暖色系を順次繰返し点灯）、室内照明「明」、室内照明「中」、室内照明「暗」、室内照明「切」、水中照明「切」などがある。
【００１６】
ここで、制御ボックス４の処理の一例を説明する。入浴者が操作盤５で水中照明単色点灯Ａ〜Ｊの操作を行うと、通信制御部２２は通信線８を介して受け取った制御信号を中央制御部２１へ送り、中央制御部２１は室内照明制御部２４と水中照明制御部２５に指示を出す。室内照明制御部２４は室内照明器具６の明るさを「暗」または「切」にして浴室１内を暗くし、水中照明器具６による浴室空間の演出を壊さないようにする。水中照明制御部２５は水中照明器具３内の白色ＬＥＤと青色ＬＥＤを発光させて薄青の点灯色を浴槽２内に照射する。また、中央制御部２１は通信制御部２２に薄青点灯中である旨のモニタ信号の送信を指示し、通信制御部２２は通信線８を介してその情報を操作盤５に伝え、操作盤５は薄青点灯中である旨を表示器に表示する。
【００１７】
図３は本実施例による操作盤の制御系のブロック構成図である。図３に示すように、操作盤５の制御の中心にはマイクロコンピュータを含む中央制御部１１が据えられ、その中央制御部１１には、通信制御部１２、読取専用メモリ（ＲＯＭ）１３、操作検知部１４、表示制御部１５、音声出力部１６、バックライト制御部１８等が接続され、音声出力部１６にはスピーカ１７が、操作検知部１４及び表示制御部１５には操作／表示部２０が、バックライト制御部１８には３色（ＲＧＢ）ＬＥＤ１９が接続されている。
【００１８】
操作／表示部２０はタッチパネル式のＬＣＤであり、４個（符号２０ａ、２０ｂ、２０ｃ、２０ｄ）のタッチ式のボタンが設けられている。操作／表示部２０内は任意の位置にボタンに関する表示以外に各種の文字情報が表示されるようになっている。ボタン操作の検知方法は特に問わないが、例えば赤外光の遮蔽を利用したものなどが有効である。
【００１９】
操作検知部１４はこうした各種の検知方法により上記４個のボタン２０ａ〜２０ｄのオン・オフを検知し、これらのボタンが操作される度に、その操作内容に応じた信号を中央制御部１１へ送る。
【００２０】
通信制御部１２は中央制御部１１の指示に従って、通信線８を介して制御ボックス４へ制御信号を送ったり、逆に制御ボックス４からモニタ信号や故障検出信号等の信号を受け取って中央制御部１１へ送る。
【００２１】
表示制御部１５は中央制御部１１の指示に従って操作／表示部２０に視覚的に情報を表示したり、各ボタンに相当する位置にそれぞれのボタンに割り当てられた機能の表示を行う。
【００２２】
音声出力部１６はスピーカ１７を用いてガイダンス音声やブザー音等を出力する。ＲＯＭ１３には、操作・表示制御を始めとする各種の運転を実行する際のプログラムが格納されている。
【００２３】
バックライト制御部１８は中央制御部１１の指示に従って３色（ＲＧＢ）ＬＥＤ１９を指示された色と明るさに点灯する。操作／表示部２０のバックライトとして用いられる３色（ＲＧＢ）ＬＥＤ１９は、操作／表示部２０であるタッチパネル式のＬＣＤの裏面側に設置されており、発光した光が操作／表示部２０の表示の背景を明るくするため、ボタン表示や各種情報が見易くなる。バックライトの点灯色は特に問わないが、水中照明器具３が点灯している時は、同系色で点灯させたり、器具の作動中を示す点灯色や待機中を示す点灯色をあらかじめ設定しておき、器具の状態に合せてその色で点灯させたり、器具に故障が発生した時は赤系色で点灯させたりする等、中央制御部１１の指示に従って点灯することが可能である。
【００２４】
本実施例の水中照明装置の特徴は、操作盤５の中央制御部１１の下で実行される操作／表示部２０のバックライト処理にある。以下に、その点について詳しく説明する。
【００２５】
図４は本水中照明装置の操作盤で実行される操作／表示部のバックライト処理を示すフローチャートである。
【００２６】
操作盤５は基本的に常時電源がオンされた状態になっており、操作／表示部２０のバックライトとして用いられる３色（ＲＧＢ）ＬＥＤ１９は通常、明るく点灯した状態になっている（「明」点灯）。器具の作動と操作ボタン（２０ａ、２０ｂ、２０ｃ、２０ｄ）の操作が所定時間無い場合は節電モードに移行し、操作／表示部２０のＬＣＤ表示とバックライトの３色（ＲＧＢ）ＬＥＤ１９を消灯するが、器具が作動を開始したり、操作ボタン（２０ａ、２０ｂ、２０ｃ、２０ｄ）が操作されると節電モードを解除し、バックライトの３色（ＲＧＢ）ＬＥＤ１９は点灯状態を継続する。
【００２７】
操作盤５の中央制御部１１は通信制御部１２から制御ボックス４のモニタ信号である水中照明器具３が点灯状態である信号を受け取ると（ステップＳ１で「Ｙｅｓ」）、バックライト制御部１８に指示して、３色（ＲＧＢ）ＬＥＤ１９を減光し、バックライトを「暗」点灯させる（ステップＳ２）。水中照明器具３が点灯開始すると、制御ボックス４は自動的に室内照明器具６を「暗」または「切」にして浴室１内を暗くするので、操作盤５の操作／表示部２０の表示は見辛くならず、バックライトの光は目障りとならないし、水中照明器具３による浴室空間の演出も壊さない。逆に、中央制御部１１は通信制御部１２から制御ボックス４のモニタ信号である水中照明器具３が消灯状態である信号を受け取ると（ステップＳ１で「Ｎｏ」）、バックライト制御部１８に指示して、３色（ＲＧＢ）ＬＥＤ１９を「明」点灯させる（ステップＳ３）。水中照明器具３が消灯すると、制御ボックス４は自動的に室内照明器具６を「明」にして浴室１内を明るくするので、バックライトの光は目障りとならないし、操作／表示部２０の表示もバックライトが明るく点灯しているため見辛くならない。
【００２８】
上記実施例は本発明の一例にすぎず、本発明の趣旨の範囲で適宜に変更、修正、追加しても本発明に包含されることは明らかである。
【図面の簡単な説明】
【００２９】
【図１】本実施例の水中照明装置の概略構成図である。
【図２】本発明の一実施例である制御ボックスの制御系のブロック構成図である。
【図３】本発明の一実施例である操作盤の制御系のブロック構成図である。
【図４】操作／表示部のバックライト処理を示すフローチャートである。
【符号の説明】
【００３０】
１…浴室
２…浴槽
３…水中照明器具
４…制御ボックス
５…操作盤
６…室内照明器具
７…電源スイッチ
８…通信線
９…２次電源ケーブル
１０…商用電源ケーブル
１１…中央制御部
１２…通信制御部
１３…ＲＯＭ
１４…操作検知部
１５…表示制御部
１６…音声出力部
１７…スピーカ
１８…バックライト制御部
１９…３色（ＲＧＢ）ＬＥＤ
２０…操作／表示部
２０ａ、２０ｂ、２０ｃ、２０ｄ…ボタン
２１…中央制御部
２２…通信制御部
２３…ＲＯＭ
２４…室内照明制御部
２５…水中照明制御部
【図１】
2007335153.tif 000003
【図２】
2007335153.tif 000004
【図３】
2007335153.tif 000005
【図４】
2007335153.tif 000006